【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
画像形成装置であって、
トナー画像を担持するシートを、加熱しながら所定の搬送方向に搬送し、該シートにトナー画像を定着する定着手段と、
共通ダクト部と、
前記共通ダクト部から前記シートの幅方向の一端側に分岐する一端側吐出ダクト部と、
前記共通ダクト部から前記シートの幅方向の他端側に分岐する他端側吐出ダクト部と、
前記一端側吐出ダクト部に形成された一端側エアー吐出口と、
前記他端側吐出ダクト部に形成された他端側エアー吐出口と、
前記共通ダクト部の内部に設けられ、前記定着手段を通過した前記シートに向けて、前記画像形成装置の外部から取り込んだ空気を前記一端側エアー吐出口および前記他端側エアー吐出口から吐出する吐出ファンと、
前記共通ダクト部よりも前記一端側に配置される一端側吸引ダクトと、
前記一端側吸引ダクトに形成された一端側エアー吸引口と、
前記一端側吸引ダクトの内部に設けられ、前記一端側エアー吐出口から吐出された空気を前記一端側エアー吸引口から吸引し、前記画像形成装置の外部に排出する一端側吸引ファンと、
前記共通ダクト部よりも前記他端側に配置される他端側吸引ダクトと、
前記他端側吸引ダクトに形成された他端側エアー吸引口と、
前記他端側吸引ダクトの内部に設けられ、前記他端側エアー吐出口から吐出された空気を前記他端側エアー吸引口から吸引し、前記画像形成装置の外部に排出する他端側吸引ファンと、
を有し、
前記吐出ファンは、前記シートの幅方向において、前記一端側吸引ファンと前記他端側吸引ファンの間に並んで位置する
ことを特徴とする画像形成装置。
【請求項２】
前記一端側エアー吐出口から吐出する空気の流量は、前記一端側エアー吸引口から吸引する空気の流量よりも多く、前記他端側エアー吐出口から吐出する空気の流量は、前記他端側エアー吸引口から吸引する空気の流量よりも多い
ことを特徴とする請求項１に記載の画像形成装置。
【請求項３】
前記一端側エアー吸引口および前記他端側エアー吸引口は、前記一端側エアー吐出口および前記他端側エアー吐出口よりも、前記搬送方向において下流側に位置する
ことを特徴とする請求項２に記載の画像形成装置。
【請求項４】
前記一端側エアー吸引口および前記他端側エアー吸引口は、前記一端側エアー吐出口および前記他端側エアー吐出口よりも上方に位置する
ことを特徴とする請求項１乃至３のいずれか１項に記載の画像形成装置。
【手続補正２】
【補正対象書類名】明細書
【補正対象項目名】０００７
【補正方法】変更
【補正の内容】
【０００７】
本発明の画像形成装置は、トナー画像を担持するシートを、加熱しながら所定の搬送方向に搬送し、該シートにトナー画像を定着する定着手段と、共通ダクト部と、前記共通ダクト部から前記シートの幅方向の一端側に分岐する一端側吐出ダクト部と、前記共通ダクト部から前記シートの幅方向の他端側に分岐する他端側吐出ダクト部と、前記一端側吐出ダクト部に形成された一端側エアー吐出口と、前記他端側吐出ダクト部に形成された他端側エアー吐出口と、前記共通ダクト部の内部に設けられ、前記定着手段を通過した前記シートに向けて、前記画像形成装置の外部から取り込んだ空気を前記一端側エアー吐出口および前記他端側エアー吐出口から吐出する吐出ファンと、前記共通ダクト部よりも前記一端側に配置される一端側吸引ダクトと、前記一端側吸引ダクトに形成された一端側エアー吸引口と、前記一端側吸引ダクトの内部に設けられ、前記一端側エアー吐出口から吐出された空気を前記一端側エアー吸引口から吸引し、前記画像形成装置の外部に排出する一端側吸引ファンと、前記共通ダクト部よりも前記他端側に配置される他端側吸引ダクトと、前記他端側吸引ダクトに形成された他端側エアー吸引口と、前記他端側吸引ダクトの内部に設けられ、前記他端側エアー吐出口から吐出された空気を前記他端側エアー吸引口から吸引し、前記画像形成装置の外部に排出する他端側吸引ファンと、を有し、前記吐出ファンは、前記シートの幅方向において、前記一端側吸引ファンと前記他端側吸引ファンの間に並んで位置することを特徴としている。
【手続補正３】
【補正対象書類名】明細書
【補正対象項目名】００２０
【補正方法】変更
【補正の内容】
【００２０】
冷却装置５０は、シート冷却部６０と、エアー排出部７０とを備えている。シート冷却手段としてのシート冷却部６０は、冷却ダクト６１と、吐出ファンとしての冷却ファン６２とで構成されている。冷却ダクト６１は、装置本体１０Ａに設けられた背面ダクト６１ａと、背面ダクト６１ａに着脱自在に装着されるカバーダクト６１ｂとで形成されている。背面ダクト６１ａは、図１において、装置本体１０Ａの右側壁１０Ａａに形成された開口部１０Ａｂを覆って装置本体１０Ａの内側に設けられている。冷却ファン６２は、図３に示すように背面ダクト６１ａ内で、図１に示すように開口部１０Ａｂを覆って装置本体１０Ａの内側に設けられている。冷却ファン６２は、カバーダクト６１ｂに覆われて、冷却ダクト６１内に収納されている。
【手続補正４】
【補正対象書類名】明細書
【補正対象項目名】００２１
【補正方法】変更
【補正の内容】
【００２１】
冷却ダクト６１は、図２、図４に示すように、装置本体１０Ａの内側から見ると、逆Ｔ字状に形成されている。即ち、冷却ダクト６１は、共通ダクト部６００と、共通ダクト部６００からシートの幅方向の一端側に分岐する一端側吐出ダクト部６０１ａと、共通ダクト部６００からシートの幅方向の他端側に分岐する他端側吐出ダクト部６０１ｂとを有する。カバーダクト６１ｂのシート搬送方向（シート通過方向）Ｅに対して交差する幅方向Ｆに延びた両端の２箇所には、エアー吐出口としての左エアー吐出口（一端側エアー吐出口）６３ａと右エアー吐出口（他端側エアー吐出口）６３ｂ（以下、「左、右エアー吐出口６３ａ，６３ｂ」と記す）とが形成されている。左、右エアー吐出口６３ａ，６３ｂは、定着器２０（図１）によってトナー画像を定着されたシートが通過する通過領域としての搬送路２７（図１）の定着器２０から排出ローラ対２３の区間に位置して、該区間にエアーを吐出するようになっている。
【手続補正５】
【補正対象書類名】明細書
【補正対象項目名】００２５
【補正方法】変更
【補正の内容】
【００２５】
左エアー排出部７０Ａは、一端側吸引ダクトとしての排気ダクト７１Ａと、一端側吸引ファンとしての排気ファン７２Ａ（図３）とで構成されている。排気ダクト７１Ａは、装置本体１０Ａに設けられて内部に排気ファン７２Ａが設けられた下部ダクト７１Ａａと、排気ファン７２Ａを覆って、下部ダクト７１Ａａの上部に重なって設けられて上方に延びた上部ダクト７１Ａｂとで構成されている。下部ダクト７１Ａａには、左エアー吐出口６３ａの上方で、左エアー吐出口６３ａから搬送路２７（図１）に吐出されたエアーがシートによって反射してくる位置に、エアーを吸引する一端側エアー吸引口としての左エアー吸引口７３ａが形成されている。
【手続補正６】
【補正対象書類名】明細書
【補正対象項目名】００２６
【補正方法】変更
【補正の内容】
【００２６】
右エアー排出部７０Ｂも、他端側吸引ダクトとしての排気ダクト７１Ｂと、他端側吸引ファンとしての排気ファン７２Ｂ（図３）とで構成されている。排気ダクト７１Ｂは、装置本体１０Ａに設けられて内部に排気ファン７２Ｂが設けられた下部ダクト７１Ｂａと、排気ファン７２Ｂを覆って、下部ダクト７１Ｂａの上部に重なって設けられて上方に延びた上部ダクト７１Ｂｂとで構成されている。下部ダクト７１Ｂａには、右エアー吐出口６３ｂの上方で、右エアー吐出口６３ｂから搬送路２７に吐出されたエアーがシートによって反射してくる位置に、エアーを吸引する他端側エアー吸引口としての右エアー吸引口７３ｂが形成されている。
【手続補正７】
【補正対象書類名】図面
【補正対象項目名】図２
【補正方法】変更
【補正の内容】
【図２】
2017134335.tif 000001
【手続補正８】
【補正対象書類名】図面
【補正対象項目名】図４
【補正方法】変更
【補正の内容】
【図４】
2017134335.tif 000002